(57)【特許請求の範囲】
【請求項１】
複数を積層することにより家屋等の壁面を形成するブロックであって、
その両端に設けられた鉤状の係合部と、上面に設けられた段差を有する嵌合凸部と、底面に設けられ他のブロックの該嵌合凸部が嵌合する嵌合凹部と、からなるブロックにおいて、
前記凸部をその略中間部を頂点とし、前記ブロックの前面、後面方向にそれぞれ傾斜させて構成し、
前記ブロックの前面の傾斜部にて係合する鉤状の係合部と、前記ブロックの後面の傾斜部にて係合する鉤状の係合部を連設して形成したことを特徴とする家屋等の壁面用ブロック。
【発明の詳細な説明】
【技術分野】
【０００１】
本発明は、複数を積層することにより家屋等の壁面を形成するブロックであって、特に木質の壁面用ブロックに関するものである。
【背景技術】
【０００２】
木材を積層して、壁面を形成した建物は古くから校倉造やログハウスとして広い利用性を持っている。特に、近年はアウトドア志向からログハウスの需要は上昇傾向にある。このようなログハウスの利点は、自然な木目によるその外観、内観のみならず、壁面を形成する木材が呼吸することにより、室内を程よい湿度に保つことができるといった、新建材にない実質的なものも見逃すことができない。
丸太を使用した本体のログハウスは、均一性のある木材の調達や、木材の加工、設計といった点において、個人が建築することは実質的に困難であり、専門の業者による建築に頼らざるを得ない。
【０００３】
そこで、本出願人は専門の業者でなくても、特殊な技術や機材を用いることなく、比較的簡単にログハウスを建築しうる目的で、特公平６−５０００７号公報において「木製ブロック」を示している。これは、長い木材を積層するのではなく、短いブロック状の木材を連結しながら積層することにより、長い木材を積層したのと同様の壁面を形成するものである。すなわち、ブロック両端の係止部で横方向を連結し、上下面の凹凸により上下の連結をし、上面の凸部に傾斜面を形成することにより、連結部分から浸透してきた雨水を排水するようにしたものである。
【０００４】
また、特願２００３ー４２５６８５号公報において、雨水の浸入対策において、特に毛細管現象による雨水の浸入を防止する「家屋等の壁面用のブロック」も提案している。
【特許文献１】特公平６−５０００７号公報
【特許文献２】特願２００３−４２５６８５号公報
【発明の開示】
【発明が解決しようとする課題】
【０００５】
本発明もまた本出願人が上記で示したのと同様に、ブロック状の建材を積層することにより壁面を形成するものであるが、本発明では、雨水の浸入対策においてさらに改善された構造の壁面を形成できる家屋等の壁面用のブロックを提供することを目的とするものである。
【課題を解決するための手段】
【０００６】
このため本発明では、複数を積層することにより家屋等の壁面を形成するブロックであって、その両端に設けられた鉤状の係合部と、上面に設けられた段差を有する嵌合凸部と、底面に設けられ他のブロックの該嵌合凸部が嵌合する嵌合凹部と、からなるブロックにおいて、前記凸部をその略中間部を頂点とし、前記ブロックの前面、後面方向にそれぞれ傾斜させて構成し、前記ブロックの前面の傾斜部にて係合する鉤状の係合部と、前記ブロックの後面の傾斜部にて係合する鉤状の係合部を連設して形成したことを特徴とする。
【発明の効果】
【０００７】
本発明に係る家屋等の壁面用ブロックによれば、雨水の浸入対策において、ブロックの連結部分から進透した雨水を、その構造において内壁面側に伝わるのを従来以上に防止できるという優れた効果を有する。
【発明を実施するための最良の形態】
【０００８】
以下、本発明を実施するための最良の形態を図面に示す実施例に基づいて説明するが、本発明が本実施例に限定されないことは言うまでもない。図１は本実施例に係る家屋等の壁面用ブロックを斜め上方から見た斜視図、図２は図１の平面図、図３は、図１の底面図、図４は、図１の右側面図、図５は、本実施例のブロックを鉛直方向に積層した状態を示す斜視図である。
【実施例】
【０００９】
図１乃至図５に示すように、本発明に係るブロック１は、その両端に設けられた連続する２段の鉤状の係合部２と、上面の両端方向で段差３ａ、３ｂをもって形成された嵌合凸部３と、底面に設けられ、下に位置する他のブロック１の嵌合凸部３が嵌合する嵌合凹部４と、複数のブロック１を積層する際に位置決めするための一対の挿通孔５とからなり、これによって所望の位置で、水平方向及び鉛直方向において容易に連結することができる。
【００１０】
図１に示すこのブロック１の手前側を前面６、ブロック１の奥側を後面７として説明すると、ブロック１の上面の嵌合凸部３はその略中央部を頂点とし前面６方向に傾斜部３ｃ、後面７方向に傾斜部３ｄがそれぞれ形成されている。また、ブロック１の底面に形成された嵌合凹部４にも、それぞれ傾斜部４ａ、４ｂが形成されている。また、嵌合凸部３の略中央部には、下方に向かって挿通孔５、５がそれぞれ穿設されており、この挿通孔５、５は底面まで貫通している。このように形成されたので、ブロック１を鉛直方向に積層すると、ブロック１の上面の嵌合凸部３が他のブロック１の下面の嵌合凹部４と嵌合し、それぞれの斜面３ｃ、４ａ及び３ｄ、４ｂ同士が密着する。
【００１１】
そして、ブロック１の左端部に設けられた連続する２段の鉤状の係合部２には、鉤部２ａと鉤部２ｂが連設して形成されており、それぞれブロック１の後面７の傾斜部３ｄと前面６の傾斜部３ｃにて係合するように構成されている。すなわち、鉤部２ａは係合部２の最端部から前面６に向かって屈曲し、その先端面２ｃ及び鉤凹部面２ｅが前記嵌合凸部３の頂点の延長線より後面７方向に位置して形成され、鉤部２ｂは、鉤部２ａから右方向に連設して形成され、その先端面２ｄ及び鉤凹部面２ｆは前記嵌合凸部３の頂点の延長線より前面６方向に位置して形成されている。同様に、右端部に設けられた係合部２にも鉤部２ａ、２ｂが設けられ、この係合部２は左端部の係合部２と互いに反対向きに形成されている。このように形成されたので、ブロック１を係合部２によって水平方向に連結すると、前記左端部の鉤部２ａ、２ｂはそれぞれ他のブロック１の右端部の鉤部２ｂ、２ａと係合し、前記左端部の鉤部２ａの係合位置は後面７の傾斜部３ｄとなり、前記左端部の鉤部２ｂの係合位置は前面６の傾斜部３ｃとなる。
【００１２】
このように形成したので、ブロック１を水平方向及び鉛直方向に連結する際に、前面６と後面７とは互いに反対向きに形成されているため、家屋等の外壁面及び内壁面を考慮して積層する必要がない。しかも、ブロック１の上面嵌合凸部３の略中央部を頂点として傾斜部３ｃ、３ｄが形成されており、この傾斜部３ｃ及び３ｄにおいてそれぞれ係合部２の鉤部２ａ、２ｂが係合してブロック１同士が水平方向に連結するため、ブロック１の前面６の連結部９から進入する雨水は必ず斜面部３ｃに沿って流れて排出される。もちろん後面７の連結部（図示せず）から進入する雨水は斜面３ｄに沿って流れて排出される。
【００１３】
次に、本実施例の作用について説明する。図５に示すように、ブロック１の組立ては、水平方向においては、ブロック１の係合部２と他のブロック１の係合部２とを係合させ、鉛直方向においては、コンクリート基礎（図示せず）上に間隔をもって固着された細長いボルト８にブロック１の挿通孔５、５を挿通させながら嵌合凸部３上に、他のブロック１の嵌合凹部４を嵌合させることにより行なわれる。
【００１４】
上積みするブロック１の係合部２は、その下に位置する他のブロック１の略中央に位置するようにボルト８により位置決めされ、図に示すように左端部の係合部２の鉤部２ａは隣接するブロック１の係合部２の鉤部２ｂと傾斜部３ｄにおいて係合し、また鉤部２ｂは隣接するブロック１の係合部２の鉤部２ａと傾斜部３ｃにおいて係合する。しかも、ブロック１下面の嵌合凹部４は、下部のブロック１上面の嵌合凸部３と嵌合し、斜面３ｃ、４ａ及び３ｄ、４ｂ同士が密着する。
【００１５】
次に、雨水が浸入した際の排水について説明する。ブロック１を積層して家屋等の壁面を構築した際に、雨水等が壁面内部に侵入するのは、隣接するブロック１同士の上下、左右の連結部分９からであるが、ブロック１の上面に段差部３ａ、３ｂを有する嵌合凸部３が設けられ、さらに嵌合凸部３はその上面略中央部を頂点として傾斜部３ｃ、３ｄが形成されており、雨水の大部分の侵入を防ぐことができる。しかも、ブロック１の水平方向の連結は、係合部２の鉤部２ａ、２ｂによってそれぞれ傾斜部３ｃ、３ｄにおいて連結されており、前面６の連結部分９から進入した雨水は鉤部２ｂを伝って下のブロック１の傾斜部３ｃに沿って流れ前面６側に排出され、後面７側まで染み込む虞はない。
【００１６】
この構成からなる家屋等の壁面用ブロック１は、前面と後面とが完全に反対に形成されており、家屋等の壁面として積層する際にその向きを考慮する必要がなく、しかも雨水の浸入を完全に防止することができる。
【００１７】
尚、本発明のブロックは、その材質において特に制限されるものではなく、木製は言うまでもなく、樹脂製、金属製、セラミック製などどのような材質でも形成できる。例えば、樹脂製においては知的玩具などに適用でき、難燃性のセラミックやコンクリートでは焼却炉などを形成することにも応用できる。特に、本発明のブロックはその接合をブロック同士のかみ合わせと、ボルト等の縦棒への挿入によって行なうため、接着剤を用いることなく壁面を形成でき、その利用範囲は広い。
【産業上の利用可能性】
【００１８】
以上、本発明による家屋等の壁面用ブロックによれば、積層することによって壁面を形成することができ、特に木製であっては、容易にログハウスなどを建築できる。
【図面の簡単な説明】
【００１９】
【図１】本発明の実施例のブロックを斜め上方から見た斜視図である。
【図２】図１の平面図である。
【図３】図１の底面図である。
【図４】図１の右側面図である。
【図５】本実施例のブロックを鉛直方向に積層した状態を示す斜視図である。
【符号の説明】
【００２０】
１                  ブロック
２                  係合部
２ａ、２ｂ          鉤部
２ｃ、２ｄ          先端面
２ｅ、２ｆ          鉤凹部面
３                  嵌合凸部
３ａ、３ｂ          段差
３ｃ、３ｄ          傾斜部
４                  嵌合凹部
４ａ、４ｂ          傾斜部
５                  挿通孔
６                  前面
７                  後面
８                  ボルト
９                  連結部
【図１】
0004565342.tif 000002
【図２】
0004565342.tif 000003
【図３】
0004565342.tif 000004
【図４】
0004565342.tif 000005
【図５】
0004565342.tif 000006